(57)【特許請求の範囲】
【請求項１】
計測対象となる太陽電池に対して照射されるべきレーザ光を出力する光源と、前記太陽電池と接続されて当該太陽電池の電気的特性の過渡応答を計測する計測ユニットと、を備える太陽電池の特性計測装置であって、
前記計測ユニットが、
前記光源を制御することによって前記レーザ光の照射を開始させる制御手段と、
前記太陽電池から前記過渡応答に対応する複数の計測データを取得するデータ取得手段と、
前記レーザ光の照射が開始してから一定時間が経過した後に、前記データ取得手段によって取得された前記計測データをメモリに格納するデータ格納手段と、
前記データ取得手段が前記一定時間の経過後に取得した前記計測データの数を計数し、当該計測データの数が予め設定された第１の値に達したか否かを判定する第１の判定手段と、
前記第１の判定手段によって前記計測データの数が前記第１の値に達したと判定されたことに対応して、前記光源を制御することによって前記レーザ光の強度をステップ状に変化させる光強度変更手段と、
前記データ取得手段が前記レーザ光の強度の変化後に取得した前記計測データの数を計数し、当該計測データの数が予め設定された第２の値に達したか否かを判定する第２の判定手段と、
前記第２の判定手段によって前記計測データの数が前記第２の値に達したと判定されたときに、前記データ格納手段に対して前記計測データの格納を終了するよう指示する指示手段と、
を含む、太陽電池の特性計測装置。
【請求項２】
前記光源は、発光素子と当該発光素子に対して駆動信号を供給するドライバとを含む、
請求項１に記載の太陽電池の特性計測装置。
【請求項３】
前記太陽電池の電気的特性は、開放電圧、短絡電流又は電荷の何れかである、
請求項１又は２に記載の太陽電池の特性計測装置。
【請求項４】
前記第１の値が前記第２の値よりも小さい、
請求項１乃至３の何れか１項に記載の太陽電池の特性計測装置。
【請求項５】
計測対象となる太陽電池に対して照射されるべきレーザ光を出力する光源と、前記太陽電池と接続されて当該太陽電池の電気的特性の過渡応答を計測する計測ユニットと、を用いた太陽電池の特性計測方法であって、
前記計測ユニットが、
前記光源を制御することによって前記レーザ光の照射を開始させる第１ステップ、
前記太陽電池から前記過渡応答に対応する複数の計測データを取得する処理を開始する第２ステップ、
前記レーザ光の照射が開始してから一定時間が経過した後に、前記計測データをメモリに格納する処理を開始する第３ステップ、
前記一定時間の経過後に取得した前記計測データの数を計数し、当該計測データの数が予め設定された第１の値に達したか否かを判定する第４ステップ、
前記第４ステップにおいて前記計測データの数が前記第１の値に達したと判定されたことに対応して、前記光源を制御することによって前記レーザ光の強度をステップ状に変化させる第５ステップ、
前記レーザ光の強度の変化後に取得した前記計測データの数を計数し、当該計測データの数が予め設定された第２の値に達したか否かを判定する第６ステップ、
及び、
前記第６ステップにおいて前記計測データの数が前記第２の値に達したと判定されたときに、前記計測データを前記メモリに格納する処理を終了する第７ステップ、
の各ステップを実行する、太陽電池の特性計測方法。
【請求項６】
前記光源は、発光素子と当該発光素子に対して駆動信号を供給するドライバとを含む、
請求項５に記載の太陽電池の特性計測方法。
【請求項７】
前記太陽電池の電気的特性は、開放電圧、短絡電流又は電荷の何れかである、
請求項５又は６に記載の太陽電池の特性計測方法。
【請求項８】
前記第１の値が前記第２の値よりも小さい、
請求項５乃至７の何れか１項に記載の太陽電池の特性計測方法。
【発明の詳細な説明】
【技術分野】
【０００１】
本発明は、太陽電池の特性を計測する技術に関する。
【背景技術】
【０００２】
地球環境と化石エネルギーの有限性に関わる課題解決の喫緊性が年々高まる中、太陽エネルギーの直接的利用を原理とし、環境に優しい再生可能エネルギーへの期待は一段と高まっている。その中でも、太陽光発電システムの普及はこの１０年、日本や欧州を中心に年率数１０％で加速している。この急激な普及速度によって、太陽エネルギーを電気エネルギーへ直接変換する結晶型シリコン太陽電池の供給量の制約が顕在化してきた。このため、多くの大学、企業において薄膜型太陽電池の開発が急がれている。
【０００３】
前述した薄膜型太陽電池の一つとして色素増感太陽電池が有望視されている（特許文献１参照）。また、色素増感太陽電池の性能評価については各研究機関等において様々な方法が提案されている。その中の一つとして、ステップ法と呼ばれる方法がある。このステップ法においては、評価対象となる太陽電池に対し、ステップ状に強度が変化する光を照射してその際における太陽電池の開放電圧、短絡電流等の時間応答を計測する。そして、これらの計測データを用いて解析を行うことにより、電子の移動速度、拡散係数、密度等のパラメータを得る。このような解析を効率よく行うために、ステップ法を用いた太陽電池の特性計測に適した特性計測装置及び方法が望まれている。
【０００４】
【特許文献１】特開２００２−０６３９４９号公報
【発明の開示】
【発明が解決しようとする課題】
【０００５】
そこで本発明は、ステップ法を用いた太陽電池の特性計測に適した特性計測技術を提供することを目的とする。
【課題を解決するための手段】
【０００６】
本発明に係る太陽電池の特性計測装置は、計測対象となる太陽電池に対して照射されるべきレーザ光を出力する光源と、前記太陽電池と接続されて当該太陽電池の電気的特性の過渡応答を計測する計測ユニットと、を備える太陽電池の特性計測装置であって、前記計測ユニットが、（ａ）前記光源を制御することによって前記レーザ光の照射を開始させる制御手段と、（ｂ）前記太陽電池から前記過渡応答に対応する複数の計測データを取得するデータ取得手段と、（ｃ）前記レーザ光の照射が開始してから一定時間が経過した後に、前記データ取得手段によって取得された前記計測データをメモリに格納するデータ格納手段と、（ｄ）前記データ取得手段が前記一定時間の経過後に取得した前記計測データの数を計数し、当該計測データの数が予め設定された第１の値に達したか否かを判定する第１の判定手段と、（ｅ）前記第１の判定手段によって前記計測データの数が前記第１の値に達したと判定されたことに対応して、前記光源を制御することによって前記レーザ光の強度をステップ状に変化させる光強度変更手段と、（ｆ）前記データ取得手段が前記レーザ光の強度の変化後に取得した前記計測データの数を計数し、当該計測データの数が予め設定された第２の値に達したか否かを判定する第２の判定手段と、（ｇ）前記第２の判定手段によって前記計測データの数が前記第２の値に達したと判定されたときに、前記データ格納手段に対して前記計測データの格納を終了するよう指示する指示手段と、を含む、太陽電池の特性計測装置である。
【０００７】
本発明に係る太陽電池の特性計測方法は、計測対象となる太陽電池に対して照射されるべきレーザ光を出力する光源と、前記太陽電池と接続されて当該太陽電池の電気的特性の過渡応答を計測する計測ユニットと、を用いた太陽電池の特性計測方法であって、前記計測ユニットが、（ａ）前記光源を制御することによって前記レーザ光の照射を開始させる第１ステップ、（ｂ）前記太陽電池から前記過渡応答に対応する複数の計測データを取得する処理を開始する第２ステップ、（ｃ）前記レーザ光の照射が開始してから一定時間が経過した後に、前記計測データをメモリに格納する処理を開始する第３ステップ、（ｄ）前記一定時間の経過後に取得した前記計測データの数を計数し、当該計測データの数が予め設定された第１の値に達したか否かを判定する第４ステップ、（ｅ）前記第４ステップにおいて前記計測データの数が前記第１の値に達したと判定されたことに対応して、前記光源を制御することによって前記レーザ光の強度をステップ状に変化させる第５ステップ、（ｆ）前記レーザ光の強度の変化後に取得した前記計測データの数を計数し、当該計測データの数が予め設定された第２の値に達したか否かを判定する第６ステップ、及び、（ｇ）前記第６ステップにおいて前記計測データの数が前記第２の値に達したと判定されたときに、前記計測データを前記メモリに格納する処理を終了する第７ステップ、の各ステップを実行する、太陽電池の特性計測方法である。
【０００８】
前記光源は、例えば、発光素子と当該発光素子に対して駆動信号を供給するドライバとを含む。
【０００９】
前記太陽電池の電気的特性とは、例えば、開放電圧、短絡電流又は電荷の何れかである。
【００１０】
好ましくは、前記第１の値が前記第２の値よりも小さい。
【発明の効果】
【００１１】
本発明によれば、太陽電池に対するレーザ光の照射を開始した後、一定時間が経過してから計測データをメモリに格納しているので、レーザが安定した後の計測データを収集できる。また、前述の一定時間の経過後に取得した計測データの数が一定値（第１の値）に達したか否かを判定し、その後にレーザ光の強度をステップ状に変化させているので、レーザ光の強度が変化する前後の計測データを確実に、かつデータ量を必要以上に増加させることなく収集できる。更に、レーザ光の強度が変化した後の計測データの数が予め設定された一定値（第２の値）に達したときにデータの収集を終了しているので、いつも一定数の計測データを確実に、かつデータ量を必要以上に増加させることなく収集できる。従って、ステップ法を用いた太陽電池の特性計測技術に適した特性計測装置等を提供することが可能となる。
【発明を実施するための最良の形態】
【００１２】
以下、本発明の実施の形態について図面を参照しながら詳細に説明する。
【００１３】
図１は、一実施形態の太陽電池の特性計測システムの全体構成を示すブロック図である。本実施形態に係る太陽電池の特性計測システム１００は、計測ユニット１、レーザドライバ２、レーザ３、ホルダ４、表示部５、パーソナルコンピュータ（ＰＣ）６を含んで構成されている。これらのうち、計測ユニット１、レーザドライバ２、レーザ３、ホルダ４、表示部５を含んで太陽電池の特性計測装置が構成されており、この特性計測装置とパーソナルコンピュータ６とが通信手段によって接続されることにより全体として特性計測システムが構築されている。本実施形態の太陽電池の特性計測システムは微弱な電流／電圧を扱うことから、少なくともレーザ３、ホルダ４及び計測対象の太陽電池７などについては電気的にシールドされた暗室（図示せず）に設置される。また、パーソナルコンピュータ６についてはデスクトップ型、ノートブック型などいずれのタイプでもよい。
【００１４】
計測ユニット１は、レーザドライバ２に制御信号を供給することによってレーザ３の動作を制御する。また、計測ユニット１は、ホルダ４を通じて、レーザ３から出力されたレーザ光が計測対象の太陽電池７に照射された際の太陽電池７の開放電圧、短絡電流等を計測する。この計測ユニット１は、ＵＳＢ（Universal serial Bus）等の公知の通信手段を介してパーソナルコンピュータ６と相互に通信可能に接続されており、上記した開放電圧等の計測データをパーソナルコンピュータ６へ送信する。パーソナルコンピュータ６側において操作指示を入力することによって、計測ユニット１の動作をコントロールすることも可能である。計測ユニット１の詳細構成については後述する。
【００１５】
レーザドライバ２は、計測ユニット１から供給される制御信号に対応し、レーザ３に対して駆動信号を出力する。レーザ３は、この駆動信号の供給を受けて発光する。このレーザ３は、例えば半導体レーザや発光ダイオードなどである。レーザ３の発光波長は、例えば５００〜７００ｎｍ程度の範囲内で適宜設定される。これらのレーザドライバ２とレーザ３が本発明における「光源」に対応する。なお、図示を省略しているが、レーザ３と太陽電池７との間に適宜、レンズなどの光学手段が設けられていてもよい。
【００１６】
ホルダ４は、レーザ３から出力されるレーザ光が太陽電池７の所定位置へ照射されるように太陽電池７を保持する。このホルダ４には、太陽電池７の電極と接触可能に構成された端子が設けられている。また、ホルダ４には、太陽電池７の裏面温度を計測するための温度検出手段（例えば熱電対など）が設けられている。上述した計測ユニット１は、端子を介して太陽電池７の開放電圧等を取得するとともに、温度検出手段によって検出された太陽電池７の裏面温度を取得する。また、ホルダ４には太陽電池７の温度を一定に保つための温度制御手段が備わっていてもよい。
【００１７】
表示部５は、計測ユニット１から供給される画像信号に基づいて種々の画像を表示する。この表示部５は、例えば液晶表示装置などの薄型表示装置を用いて構成される。表示部５に表示される画像は、例えば計測時のパラメータ設定のための画像や、計測データのグラフなどである。
【００１８】
図２は、計測ユニット１の詳細構成を示すブロック図である。図２に示す計測ユニット１において、ＣＰＵ１０は、計測ユニット１の全体動作を制御する。このＣＰＵ１０にはメモリ１１が接続されている。メモリ１１は、ＣＰＵ１０において実行されるプログラムを格納するＲＯＭや、計測ユニット１における計測データを記憶するＲＡＭを含む。また、ＣＰＵ１０には、ＵＳＢ規格に基づいてパーソナルコンピュータ６との間で通信を行うための通信部（ＵＳＢ）１２と、ＲＳ２３２Ｃ規格に基づいてパーソナルコンピュータ６との間で通信を行うための通信部（ＲＳ２３２Ｃ）１３とが接続されている。さらに、ＣＰＵ１０は、上記した表示部５と接続されており、表示部５に対して画像信号を出力する。
【００１９】
ロジック回路１４は、ＣＰＵ１０と接続されており、ＣＰＵ１０からの命令を受けてレーザドライバ２に対する制御信号を出力する処理や、太陽電池７の開放電圧、短絡電流などの特性を取得する処理、レーザ３の光量をモニターする処理、太陽電池７の裏面温度をモニターする処理などを実行する。このロジック回路１４としては、例えばプログラマブルゲートアレイなどのプログラム可能なロジック回路が好適に用いられるが、専用チップであってもよい。
【００２０】
デジタルアナログ変換器１５は、ロジック回路１４から出力されるレーザドライバ２に対する制御信号をデジタルデータに変換する。変換されたデジタルデータはレーザドライバ２に入力される。
【００２１】
フォトダイオード（受光素子）１６は、レーザ３から出力されるレーザ光の強度をモニターするために用いられる。例えば、図示しない半透過板がレーザ光の光路中に設けられ、その半透過板によって得られた反射光をフォトダイオード１６に入射させることにより、レーザ光強度をモニターすることができる。レーザ光の強度をモニターすることにより、計測全体の信頼性が高まる。フォトダイオード１６の出力信号はアンプ１７、抵抗素子１８からなる増幅回路によって増幅され、アナログデジタル変換器１９によってデジタルデータに変換され、ロジック回路１４に入力される。
【００２２】
温度センサ２０は、例えば熱電対であり、ホルダ４にセットされた太陽電池７の裏面温度を検出する。温度センサ２０の出力信号はアンプ２１によって増幅され、アナログデジタル変換器２２によってデジタルデータに変換され、ロジック回路１４に入力される。
【００２３】
デジタルアナログ変換器２６はロジック回路１４から制御信号にて設定された負極電圧を出力する。バイアススイッチ２８を太陽電池側に接点を繋ぎ太陽電池７へ逆バイアスをかけバイアススイッチ３１を電流制限/スイッチ回路２４側にして太陽電池７内で仮想０Ｖ状態（開放状態）にすることで太陽電池７内に電荷を貯める働きをする。次に溜まった電荷を抽出する為にレーザ３を消灯し、流れ出す電荷量を電流制限/スイッチ回路２４で取得し、アナログデジタル変換器３０に入力する。
【００２４】
電流制限/スイッチ回路２４は太陽電池７に貯まっている電流をモニターする為のレンジ切替をリレーにて行う。レンジは複数段レンジ切替可能に工夫されており、数μＡから数Ａまでの電流モニターが可能である。選択された抵抗器とリレーの接点が接続されている。この抵抗器を流れる電流をモニターしてアナログデジタル変換器３０に入力される。
【００２５】
アナログデジタル変換器２７は、抵抗素子２５を介して入力される太陽電池７の出力電流をデジタルデータに変換する。アナログデジタル変換器２７から出力されるデジタルデータはロジック回路１４に入力される。
【００２６】
アナログデジタル変換器２９は、太陽電池７の出力電圧をデジタルデータに変換する。アナログデジタル変換器２９から出力されるデジタルデータはロジック回路１４に入力される。
【００２７】
なお、上述したＣＰＵ１０、ロジック回路１４が本発明における「制御手段」、「データ格納手段」、「第１の判定手段」、「光強度変更手段」、「第２の判定手段」、「指示手段」に相当する。また、ＣＰＵ１０及びロジック回路１４と、デジタルアナログ変換器２６、アナログデジタル変換器２７、バイアススイッチ２８、バイアススイッチ３１、アナログデジタル変換器２９、アナログデジタル変換器３０などの回路系が「データ取得手段」に相当する。
【００２８】
次に、本実施形態の太陽電池の特性計測システムにおいて計測される特性と、その特性を得るときの計測ユニット１の動作について説明する。
【００２９】
図３は、太陽電池の開放電圧の過渡応答を計測する際の動作について説明するための図である。具体的には、図３（Ａ）は開放電圧の計測時に直接的に関わる回路構成を模式的に示した図であり、図３（Ｂ）は計測によって得られる特性を模式的に示した図である。図３（Ａ）に示すように、電流計測に関連する回路を開き、太陽電池７の開放電圧Ｖｏｃがアナログデジタル変換器２９に入力される状態とする（Ｖｏｃモード）。そして、図３（Ｂ）に示すように、レーザ３から出力されるレーザ光の光量（光強度）をステップ状（階段状）に変化させ（図３（Ｂ）上段参照）、その際における太陽電池７の開放電圧Ｖｏｃの過渡応答が計測される（図３（Ｂ）下段参照）。
【００３０】
図４は、太陽電池の短絡電流の過渡応答を計測する際の動作について説明するための図である。具体的には、図４（Ａ）は短絡電流の計測時に直接的に関わる回路構成を模式的に示した図であり、図４（Ｂ）は計測によって得られる特性を模式的に示した図である。図４（Ａ）に示すように、電流計測に関連する回路を閉じ、バイアススイッチ２８をゼロ側にして、太陽電池７の短絡電流Ｉｓｃがアナログデジタル変換器２７に入力される状態とする（Ｉｓｃモード）。そして、図４（Ｂ）に示すように、レーザ３から出力されるレーザ光の光量（光強度）をステップ状に変化させ（図４（Ｂ）上段参照）、その際における太陽電池７の短絡電流Ｉｓｃの過渡応答が計測される（図４（Ｂ）下段参照）。
【００３１】
図５は、太陽電池の電荷を計測する際の動作について説明するための図である。具体的には、図５（Ａ）は電荷の計測時に直接的に関わる回路構成を模式的に示した図であり、図５（Ｂ）は計測によって得られる特性を模式的に示した図である。短絡電流、開放電圧を監視しながら太陽電池７を仮想０Ｖ状態（開放状態）までスイープし、電流が流れなくなったところでレーザ光の光量をゼロにし、それと同時に太陽電池７に溜まった電荷の過渡応答をその瞬間より計測する（図５（Ｃ）参照）。
【００３２】
本実施形態に係る太陽電池の特性計測システムは以上のような構成を備えており、次に、太陽電池の特性を計測する際の計測ユニット１の動作についてフローチャート等を用いて詳細に説明する。図６は、計測ユニット１の動作を説明するためのフローチャートである。また、図７は、計測対象となる太陽電池の過渡特性の一例を示す図である。図７においては、一例として太陽電池の開放電圧の過渡特性が示されている。
【００３３】
計測ユニット１は、レーザドライバ２に対して制御信号を与えることによりレーザ３を発光させ、太陽電池７に対するレーザ照射を開始する（ステップＳ１０）。より詳細には、ＣＰＵ１０がロジック回路１４に命令を与え、それに対応してロジック回路１４が制御信号を生成する。この制御信号がデジタルアナログ変換器１５によってアナログ信号に変換され、レーザドライバ２に入力される。レーザ照射が開始された時点を図７における時刻ｔ＝０とする。計測ユニット１への処理開始の命令はパーソナルコンピュータ６を用いて入力することができる。
【００３４】
次に、計測ユニット１は、レーザ照射を開始した時点から所定時間が経過したか否かを判定する（ステップＳ１１）。詳細には、ＣＰＵ１０がこの判定を行う。すなわち、ＣＰＵ１０は、レーザ照射を開始させるための命令をロジック回路１４に与えた時点から計時処理を開始し、その後、所定時間が経過したか否かを判定する。ここでいう所定時間とは、レーザ３から出力されるレーザ光が安定するまでに確保される時間であり、例えば５分間くらいの時間が設定される。この所定時間を図７においてはＴ１と示している。所定時間Ｔ１が経過しないうちは（ステップＳ１１；ＮＯ）、この判定処理が継続される。
【００３５】
所定時間Ｔ１が経過すると（ステップＳ１１；ＹＥＳ）、計測ユニット１は、データ記憶を開始する（ステップＳ１２）。詳細には、ＣＰＵ１０は、アナログデジタル変換器２９から出力されるデジタルデータをロジック回路１４から取得し、これを計測時刻と対応づけてメモリ１１に格納する。なお、計測対象の一例として開放電圧を採り上げているため、ＣＰＵ１０はアナログデジタル変換器２９からの出力データを取得しているが、それ以外の計測モード（図４，図５参照）の場合にはアナログデジタル変換器２７の出力も取得される。
【００３６】
次に、計測ユニット１は、ステップＳ１２におけるデータ記憶の開始以降、すなわち所定時間Ｔ１の経過後に取得したデータ数が所定数であるＮ1個に達したか否かを判定する（ステップＳ１３）。詳細には、ＣＰＵ１０がこの処理を行う。ロジック回路１４の側でデータ数を監視し、Ｎ1個に達した時点でＣＰＵ１０に通知してもよい。ここでいうデータ数のＮ1個は適宜設定されるが、例えばＮ1＝１００個と設定される。なお、図７に示すように、一定時間Ｔ２を計測することによって、データ数が所定数に達したかを判断することも可能である。データ数がＮ1個に達しない間は（ステップＳ１３；ＮＯ）、計測ユニット１によるデータ記憶が継続される。
【００３７】
データ数がＮ1個に達した場合には（ステップＳ１３；ＹＥＳ）、計測ユニット１は、レーザドライバ２を制御することにより、レーザ３から出力されるレーザ光の強度を変化させる（ステップＳ１４）。上述したように（図２〜図４参照）、計測ユニット１は、レーザ光の強度をステップ状に低下させる。詳細には、ＣＰＵ１０がロジック回路１４に命令を与え、それに対応してロジック回路１４が制御信号を生成する。この制御信号がデジタルアナログ変換器１５によってアナログ信号に変換され、レーザドライバ２に入力される。レーザドライバ２は、制御信号に対応してレーザ３に供給する駆動信号を変化させる。それにより、レーザ光の強度が変化する。レーザ光の強度変化後も計測ユニット１によるデータ記憶処理は継続して実行される。
【００３８】
次に、計測ユニット１は、ステップＳ１３におけるレーザ光の強度を変化させた時点より以降に取得し、メモリ１１に格納したデータ数が所定数であるＮ2個に達したか否かを判定する（ステップＳ１５）。詳細には、ＣＰＵ１０がこの処理を行う。ロジック回路１４の側でデータ数を監視し、Ｎ2個に達した時点でＣＰＵ１０に通知してもよい。ここでいうデータ数のＮ2個は適宜設定されるが、例えばＮ2＝９００個と設定される。上述したＮ1とこのＮ2との関係でいえば、全体のデータ数（Ｎ1＋Ｎ2）に対して、例えばＮ1が１０％、Ｎ2が９０％くらいの割合とすることが好適である。なお、図７に示すように、一定時間Ｔ３を計測することによって、データ数が所定数に達したかを判断することも可能である。データ数がＮ2個に達しない間は（ステップＳ１５；ＮＯ）、計測ユニット１によるデータ記憶が継続される。
【００３９】
データ数がＮ2個に達した場合には（ステップＳ１５；ＹＥＳ）、計測ユニット１は、データを取得し、メモリ１１に格納する処理を終了する（ステップＳ１６）。また、計測ユニット１は、レーザドライバ２を制御することにより、レーザ３からのレーザ光の出力を停止させる。それにより、太陽電池７に対するレーザ照射が終了する（ステップＳ１７）。以上で、一連の特性計測処理が終了する。その後、計測ユニット１は、パーソナルコンピュータ６からの要求があれば、それに応じて計測データを送信する。
【００４０】
以上のような本実施形態によれば、太陽電池に対するレーザ光の照射を開始した後、一定時間が経過してから計測データをメモリに格納しているので、レーザが安定した後の計測データを収集できる。また、前述の一定時間の経過後に取得した計測データの数が一定値（第１の値）に達したか否かを判定し、その後にレーザ光の強度をステップ状に変化させているので、レーザ光の強度が変化する前後の計測データを確実に、かつデータ量を必要以上に増加させることなく収集できる。更に、レーザ光の強度が変化した後の計測データの数が予め設定された一定値（第２の値）に達したときにデータの収集を終了しているので、いつも一定数の計測データを確実に、かつデータ量を必要以上に増加させることなく収集できる。従って、ステップ法を用いた太陽電池の特性計測技術に適した特性計測装置等を提供することが可能となる。
【００４１】
なお、本発明は上述した実施形態の内容に限定されるものではなく、本発明の要旨の範囲内において種々に変形して実施をすることが可能である。例えば、上述した実施形態においては、図６に示すフローチャートに沿って実行される処理における計測対象として太陽電池の開放電圧の過渡特性を例示していたが、他の過渡特性を計測する場合についても同様の処理を適用することができる。
【図面の簡単な説明】
【００４２】
【図１】太陽電池の特性計測システムの全体構成を示すブロック図である。
【図２】計測ユニットの詳細構成を示すブロック図である。
【図３】太陽電池の開放電圧の過渡応答を計測する際の動作について説明するための図である。
【図４】太陽電池の短絡電流の過渡応答を計測する際の動作について説明するための図である。
【図５】太陽電池の電荷を計測する際の動作について説明するための図である。
【図６】計測ユニットの動作を説明するためのフローチャートである。
【図７】計測対象となる太陽電池の過渡特性の一例を示す図である。
【符号の説明】
【００４３】
１…計測ユニット、２…レーザドライバ、３…レーザ、４…ホルダ、５…表示部、６…パーソナルコンピュータ（ＰＣ）、７…太陽電池、１００…太陽電池の特性計測システム
【図１】
0004753211.tif 000002
【図２】
0004753211.tif 000003
【図３】
0004753211.tif 000004
【図４】
0004753211.tif 000005
【図５】
0004753211.tif 000006
【図６】
0004753211.tif 000007
【図７】
0004753211.tif 000008